(57)【要約】【課題】  ブラシホルダーの接触によるコンミュテータのヒュージングされた爪の浮き上がりを防止することができ、電気的接続の安定化を図ることができるポンプ用モータを提供する。【解決手段】  ヨーク１１の底部の軸受１４とカバー１２の天井部の軸受１５でアーマチュア軸１６を回転自在に支持し、アーマチュア軸にアーマチュア２０とコンミュテータ２１を取り付け、アーマチュア軸の偏心軸部１６ｄにポンプ駆動用の軸受１７を圧入により取り付け、カバー１２の円筒部１２ｄ内にブラシホルダー２２を嵌め込み、ブラシホルダー２２に出没自在に収納されたブラシ２３をコンミュテータ２１に圧接したポンプ用モータにおいて、ヨーク１１の円筒部１１ｃの内周面１１ｄにボス部１１ｆを設け、ブラシホルダー２２の外周面２２ｅにボス部１１ｆに係止される係止突起部２２ｆを設け、カバー１２の円筒部１２ｄに係止突起部２２ｆを収容する切欠き部１２ｅを設けた。【選択図】      図１６
2006174656.tif 000002
【特許請求の範囲】
【請求項１】
有底円筒状のヨークと、このヨークの開口部に円筒部が嵌め込まれるカバーとを備え、前記ヨークの底部の中央に配置された軸受と前記カバーの天井部の中央に配置された軸受でアーマチュア軸を回転自在に支持し、このアーマチュア軸の所定位置にアーマチュア及びコンミュテータをそれぞれ取り付けると共に、該アーマチュア軸の偏心した偏心軸部にポンプ駆動用の軸受を圧入により取り付け、かつ、前記カバーの円筒部内にブラシホルダーを嵌め込み、このブラシホルダーに出没自在に収納されたブラシを前記コンミュテータに圧接したポンプ用モータにおいて、
前記ブラシホルダーに、前記コンミュテータの一端面に当接して該ブラシホルダーと前記アーマチュア軸との一端側軸方向の相対的な移動を規制するストッパが設けられたことを特徴とするポンプ用モータ。
【請求項２】
有底円筒状のヨークと、このヨークの開口部に円筒部が嵌め込まれるカバーとを備え、前記ヨークの底部の中央に配置された軸受と前記カバーの天井部の中央に配置された軸受でアーマチュア軸を回転自在に支持し、このアーマチュア軸の所定位置にアーマチュア及びコンミュテータをそれぞれ取り付けると共に、該アーマチュア軸の偏心した偏心軸部にポンプ駆動用の軸受を圧入により取り付け、かつ、前記カバーの円筒部内にブラシホルダーを嵌め込み、このブラシホルダーに出没自在に収納されたブラシを前記コンミュテータに圧接したポンプ用モータの組立方法において、
前記ブラシを収納したブラシホルダーをアーマチュア軸の一端側から挿入し、前記ブラシホルダーの上側開口縁に形成されたストッパが前記コンミュテータの一端面に当接することによってそれ以上のブラシホルダーの挿入を阻止し、次に、前記カバーの天井部に配置された軸受をアーマチュア軸の中途部の所定の位置まで圧入すると共に、前記カバーの円筒部を前記ブラシホルダーの外周面に嵌合させ、次に、前記アーマチュア軸の他端を前記ヨークの底部の中央に配置された軸受に圧入すると共に、該ヨークの円筒部に前記カバーの円筒部を嵌め込むことを特徴とするポンプ用モータの組立方法。
【発明の詳細な説明】
【技術分野】
【０００１】
本発明は、例えば、車両のアンチロックブレーキシステム（ＡＢＳ）に設けられたプランジャポンプを作動させるポンプ用モータに関する。
【背景技術】
【０００２】
この種のポンプ用モータとして、図１８及び図１９に示すものがある（例えば、特許文献１参照。）。
【０００３】
このポンプ用モータ１は、図１８に示すように、内周面２ａにマグネット２ｂが取り付けられた有底円筒状のヨーク２と、このヨーク２の開口部２ｃを閉塞すると共に、アンチロックブレーキシステムの基体９の取付凹部９ａの入り口に円筒部３ａが嵌め込まれるカバーを兼ねたブラケット３とを備えている。
【０００４】
そして、ヨーク２とブラケット３内にはアーマチュア４が収納されている。そのアーマチュア４のアーマチュア軸４ａは、ヨーク２の底部２ｄの中央に配置された軸受５ａとブラケット３の円筒部３ａの中央に配置された軸受５ｂ及び基体９の取付凹部内の先端よりに配置された軸受５ｃに回転自在に支持されている。また、アーマチュア軸４ａの軸受５ｂ寄りの位置にはコンミュテータ６が取り付けられており、ヨーク２の開口部２ｃ内にはブラシホルダー７が嵌め込まれている。図１８及び図１９に示すように、このブラシホルダー７に出没自在に収納されたブラシ８がコンミュテータ６に圧接している。さらに、アーマチュア軸４ａの偏心した偏心軸偏部４ｂにはポンプ駆動用の軸受５ｄを圧入により取り付けてある。このポンプ駆動用の軸受５ｄがカムとして作用してアンチロックブレーキシステムの図示しないプランジャポンプを駆動するようになっている。
【０００５】
【特許文献１】特開２０００−２７８９０４号公報
【０００６】
【特許文献２】特開２０００−１３４８５９号公報
【発明の開示】
【発明が解決しようとする課題】
【０００７】
しかしながら、前記従来のポンプ用モータ１では、ブラシホルダー７の中央に形成された丸孔７ａにコンミュテータ６が挿通される構造となっている。そのため、アーマチュア軸４ａを軸受５ｂに圧入する際等において、コンミュテータ６のヒュージングされた爪６ａがブラシホルダー７の丸孔７ａの周縁と接触し、コンミュテータ６のヒュージングされた爪６ａコンミュテータ６のヒュージングされた爪６ａが浮き上がり、電気的接続が不安定になるおそれがあった。
【０００８】
そこで、本発明は、前記した課題を解決すべくなされたものであり、ブラシホルダーの接触によるコンミュテータのヒュージングされた爪の浮き上がりを確実に防止することができ、電気的接続の安定化を図ることができるポンプ用モータ及びポンプ用モータの組立方法を提供することを目的とする。
【課題を解決するための手段】
【０００９】
請求項１の発明は、有底円筒状のヨークと、このヨークの開口部に円筒部が嵌め込まれるカバーとを備え、前記ヨークの底部の中央に配置された軸受と前記カバーの天井部の中央に配置された軸受でアーマチュア軸を回転自在に支持し、このアーマチュア軸の所定位置にアーマチュア及びコンミュテータをそれぞれ取り付けると共に、該アーマチュア軸の偏心した偏心軸部にポンプ駆動用の軸受を圧入により取り付け、かつ、前記カバーの円筒部内にブラシホルダーを嵌め込み、このブラシホルダーに出没自在に収納されたブラシを前記コンミュテータに圧接したポンプにおいて、前記ブラシホルダーに、前記コンミュテータの一端面に当接して該ブラシホルダーと前記アーマチュア軸との一端側軸方向の相対的な移動を規制するストッパが設けられたことを特徴とする。
【００１０】
請求項２の発明は、有底円筒状のヨークと、このヨークの開口部に円筒部が嵌め込まれてるカバーとを備え、前記ヨークの底部の中央に配置された軸受と前記カバーの天井部の中央に配置された軸受でアーマチュア軸を回転自在に支持し、このアーマチュア軸の所定位置にアーマチュア及びコンミュテータをそれぞれ取り付けると共に、該アーマチュア軸の偏心した偏心軸部にポンプ駆動用の軸受を圧入により取り付け、かつ、前記カバーの円筒部内にブラシホルダーを嵌め込み、このブラシホルダーに出没自在に収納されたブラシを前記コンミュテータに圧接したポンプ用モータの組立方法において、前記ブラシを収納したブラシホルダーをアーマチュア軸の一端側から挿入し、前記ブラシホルダーの上側開口縁に形成されたストッパが前記コンミュテータの一端面に当接することによってそれ以上のブラシホルダーの挿入を阻止し、次に、前記カバーの天井部に配置された軸受をアーマチュア軸の中途部の所定の位置まで圧入すると共に、前記カバーの円筒部を前記ブラシホルダーの外周面に嵌合させ、次に、前記アーマチュア軸の他端を前記ヨークの底部の中央に配置された軸受に圧入すると共に、該ヨークの円筒部に前記カバーの円筒部を嵌め込むことを特徴とする。
【発明の効果】
【００１１】
以上説明したように、請求項１の発明によれば、コンミュテータの一端面に当接してブラシホルダーとアーマチュア軸との一端側軸方向の相対的な移動を規制するストッパがブラシホルダーに設けられたことにより、ブラシホルダーのストッパがコンミュテータの一端面に当接し、コンミュテータのヒュージングされた爪にブラシホルダーが接触するのを確実に防止することができる。これにより、ブラシホルダーの接触によるコンミュテータのヒュージングされた爪の浮き上がりを確実に防止することができ、電気的接続の安定化を図ることが出来る。
【００１２】
請求項２の発明によれば、ブラシを収納したブラシホルダーをアーマチュア軸の一端側から挿入すると、前記ブラシホルダーの上側開口縁に形成されたストッパがコンミュテータの一端面に当接することによってそれ以上のブラシホルダーの挿入を阻止するため、ブラシホルダーとコンミュテータのヒュージングされた爪との間のクリアランスを常に確保することできる。これにより、ブラシホルダーの接触によるコンミュテータの爪の浮き上がりが確実に防止され、ブラシとコンミュテータの電気的接続を安定させた高精度のポンプ用モータを短時間でスムーズに組み立てることが出来る。
【発明を実施するための最良の形態】
【００１３】
以下、本発明の一実施形態を図面に基づいて説明する。
【００１４】
図１は本発明の一実施形態のポンプ用モータを示す側面図、図２は同ポンプ用モータの平面図、図３は同ポンプ用モータの底面図、図４は同ポンプ用モータのヨークとブラシホルダー及びカバーの組み付け前の状態を示す正面図、図５は同ヨークとブラシホルダー及びカバー組み付け前の状態を示す断面図、図６は同ヨークとブラシホルダー及びカバーの組み付け後の要部の状態を示す拡大説明図、図７は同ヨークとブラシホルダーの嵌合状態を示す要部の拡大断面図、図８（ａ）は同ブラシホルダーの要部の部分拡大断面図、図９は同ブラシホルダーの平面図、図１０は同ブラシホルダーとアーマチュア軸に取り付けられたコンミュテータの関係を示す拡大断面図、図１１〜図１６は同ポンプ用モータの組立工程を順を追って示す断面図である。
【００１５】
図１〜図３及び図１６に示すように、ポンプ用モータ１０は、一端側が開口した金属製で有底円筒状のヨーク１１と、このヨーク開口部１１ｅに円筒部１２ｄが嵌め込まれる金属製のカバー１２とを備えている。ヨーク１１の円筒部１１ｃの内周面１１ｄには一対のマグネット１３，１３が接着剤等を介して固着されている。そして、ヨーク１１の底部１１ａの中央の凹部１１ｂに嵌合されたボールベアリング（軸受）１４とカバー１２の天井部１２ａの中央の凹部１２ｂに嵌合されたボールベアリング（軸受）１５とでアーマチュア軸１６の基端１６ａ及び中途部１６ｂが回転自在に支持されている。
【００１６】
また、図１，図２及び図１６に示すように、カバー１２の凹部１２ｂの貫通孔１２ｃより外側に露出したアーマチュア軸１６の一端としての先端部１６ｃ側には、偏心した偏心軸部１６ｄが形成されており、この偏心軸部１６ｄにはポンプ駆動用の一対のボールベアリング（軸受）１７，１７が圧入により取り付けられている。このポンプ駆動用の各ボールベアリング１７がカムとして作用して、例えば、車両のアンチロックブレーキシステムの図示しないプランジャポンプを駆動するようになっている。
【００１７】
図１６に示すように、一対のマグネット１３，１３に対向するアーマチュア軸１６の位置には、アーマチュア２０が取り付けられている。図１１〜図１６に示すように、このアーマチュア２０は、アーマチュア軸１６に固定され、所定のスロット数のコイル巻回部２０ｂを持つアーマチュアコア２０ａとこのアーマチュアコア２０ａのコイル巻回部２０ｂに巻き回されたアーマチュアコイル２０ｃとで構成されている。
【００１８】
また、図１６に示すように、ヨーク１１の開口部１１ｅに対向するアーマチュア軸１６の位置には、コンミュテータ２１が固定されている。このコンミュテータ２１はアーマチュアコア２０ａのコイル巻回部２０ｂと同数のコンミュテータ片２１ａを備えている。この各コンミュテータ片２１ａとアーマチュアコイル２０ｃの一端２０ｄとはコンミュテータ片２１ａに形成された爪２１ｂによりヒュージングの方法で、電気的にそれぞれ接続されている。
【００１９】
図１６に示すように、ヨーク１１の開口部１１ｅ内に嵌め込まれるカバー１２の円筒部１２ｄ内のコンミュテータ２１に対向する位置には、合成樹脂製で略円板状のブラシホルダー２２を嵌め込んである。図９，図１０に示すように、このブラシホルダー２２には中心より放射状に形成された複数（この実施形態では４箇所）のブラシ収容部２２ａが形成されている。この各ブラシ収容部２２ａ内にはブラシ２３が出没自在に収納されていて、該ブラシ２３は圧縮コイルバネ（付勢手段）２４によりコンミュテータ２１のコンミュテータ片２１ａに接触するように押圧付勢されている。また、図５，図９〜図１０に示すように、ブラシホルダー２２の貫通孔２２ｂの上側開口縁２２Ｄには、コンミュテータ２１の一端面２１ｃに当接して該ブラシホルダー２２とアーマチュア軸１６の一端（先端部１６ｃ）側軸方向の相対的な移動を規制する一対のストッパ２２ｃ，２２ｃを一体突出形成してある。図９に示すように、一対のストッパ２２ｃ，２２ｃは、先端が円弧状になって相対向する位置に矩形板状に一体突出形成されている。
【００２０】
そして、図１，図２及び図９〜図１６に示すように、ブラシホルダー２２には円筒状の端子引き出し部２２ｄ内に露出する給電用の一対の端子２５，２５がインサート成形等によって埋設されている。この各端子２５を介して各ブラシ２３に電流が供給されるようになっている。この電流がアーマチュア２０等に流れてアーマチュア軸１６が回転するようになっている。
【００２１】
また、図４〜図６及び図１６に示すように、ヨーク１１の円筒部１１ｃの内周面１１ｄには９０°間隔毎に略Ｖ字状のボス部１１ｆがプレスによる突き出し加工により一体突出形成されている。さらに、ブラシホルダー２２の外周面２２ｅには各ボス部１１ｆに係止される係止突起部２２ｆが突出形成されている。またカバー１２の円筒部１２ｄに各係止突起部２２ｆを収容する逆凹状の切欠き部１２ｅを形成してある。そして、図６に示すように、ブラシホルダー２２の各係止突起部２２ｆは、ヨーク１１の各ボス部１１ｆとカバー１２の各切欠き部１２ｅとで挟持されるようになっている。
【００２２】
さらに、図７〜図１０に示すように、ブラシホルダー２２の外周面２２ｅの各係止突起部２２ｆの近傍には複数の突起２２ｇがそれぞれ一体形成されている。この各突起２２ｇには、ヨーク１１の円筒部１１ｃの内周面１１ｄに圧入される潰しビード部２２ｈが一体突出形成されている。
【００２３】
尚、図２，図３，図５，図１６に示すように、ヨーク１１の鍔部１１ｇには複数の取付孔１１ｈが形成されている。この各取付孔１１ｈに挿通する図示しないボルト等を介して、ポンプ用モータ１０は例えば車両のアンチロックブレーキシステムの所定の位置に締結固定されるようになっている。
【００２４】
以上実施形態のポンプ用モータ１０の組立工程を、図１１〜図１６を用いて順を追って説明する。
【００２５】
図１１に示すように、ブラシ２３を出没自在に収納した合成樹脂製のブラシホルダー２２をアーマチュア軸１６の一端（先端部１６ｃ）側から挿入する。すると、図１２に示すように、ブラシホルダー２２の貫通孔２２ｂの上側開口縁２２Ｄより貫通孔２２ｂの中心方向に相対向するように突出した一対のストッパ２２ｃ，２２ｃがコンミュテータ２１の一端面２１ｃに当接し、ブラシホルダー２２のそれ以上の挿入が阻止される。この為、ブラシホルダー２２の貫通孔２２ｂの下側開口縁２２Ｅとコンミュテータ２１のコンミュテータ片２１ａのヒュージングされた爪２１ｂとの間に所定のクリアランスｔを確実に確保することができる。またブラシホルダー２２の下面２２ｂとアーマチュア２０のアーマチュアコイル２０ｃとの間にも所定のクリアランスを確保することができる。
【００２６】
次に、図１３及び図１４に示すように、カバー１２の天井部１２ａに配置された軸受１５をアーマチュア軸１６の中途部１６ｂの所定の位置まで圧入する共に、カバー１２の円筒部１２ｄにブラシホルダー２２の外周面２２ｅを嵌合させる。このとき、カバー１２の円筒部１２ｄに形成された逆凹状の各切欠部１２ｅにブラシホルダー２２の外周面２２ｅに形成された各係止突起部２２ｆが収容される。
【００２７】
次に、図１５及び図１６に示すように、ヨーク１１の底部１１ａの中央の凹部１１ｂ内に嵌め込まれたボールベアリング１４にアーマチュア軸１６の他端である基端１６ａを圧入すると共に、該ヨーク１１の円筒部１１ｃにカバー１２の円筒部１２ｄを嵌め込む。このとき、図６に示すように、ブラシホルダー２２の各係止突起部２２ｆが、ヨーク１１の各ボス部１１ｆとカバー１２の各切欠き部１２ｅとで挟持され、ブラシホルダー２２がアーマチュア軸１６の軸方向へ移動することなく確実に位置決めされる。
【００２８】
また、ブラシホルダー２２の外周面２２ｅの各突起２２ｇより突出した各潰しビード部２２ｈがヨーク１１の円筒部１１ｃの内周面１１ｄに圧入されて潰されるため、ブラシホルダー２２がヨーク１１の円筒部１１ｃ内のラジアル方向に確実に位置決めされる。
【００２９】
その後、図１６に示すように、アーマチュア軸１６に形成した偏心軸部１６ｄに、ポンプ駆動用の一対のボールベアリング１７，１７を圧入することにより、図１〜図３に示すポンプ用モータ１０の組立が完了する。
【００３０】
このように、ブラシホルダー２２の貫通孔２２ｂの上側開口縁２２Ｄにコンミュテータ２１の一端面２１ｃに当接してアーマチュア軸１６の軸方向の移動を規制する一対のストッパ２２ｃ，２２ｃを一体突出形成したことにより、この一対のストッパ２２ｃ，２２ｃによりブラシホルダー２２の貫通孔２２ｂの下側開口縁２２Ｅとコンミュテータ２１のコンミュテータ片２１ａのヒュージングされた爪２１ｂとの間に所定のクリアランスｔを確実に確保することができる。これにより、コンミュテータ２１のコンミュテータ片２１ａのヒュージングされた爪２１ｂにブラシホルダー２２の貫通孔２２ｂの下側開口縁２２Ｅが接触することはない。その結果、ブラシホルダー２２の接触によるコンミュテータ２１のヒュージングされた爪２１ｂの浮き上がりを確実に防止することができ、コンミュテータ２１とブラシ２３の電気的接続を安定させた高精度のポンプ用モータ１０を短時間でスムーズに組み立てることができる。
【００３１】
尚、前記実施形態によれば、ブラシホルダー２２の貫通孔２２ｂの上側開口縁２２Ｄに相対向する一対のストッパ２２ｃ，２２ｃを一体突出形成したが、図１７（ａ）に示すように、ブラシホルダー２２の貫通孔２２ｂの上側開口縁２２Ｄに１つのストッパ２２ｃを一体突出形成したり、図１７（ｂ）に示すように、ブラシホルダー２２の貫通孔２２ｂの上側開口縁２２Ｄに相対向する３つのストッパ２２ｃ，２２ｃ，２２ｃを等間隔毎に一体突出形成したり、図１７（ｃ）に示すように、ブラシホルダー２２の貫通孔２２ｂの上側
開口縁２２Ｄに相対向する４つのストッパ２２ｃ，２２ｃ，２２ｃ，２２ｃを等間隔毎に一体突出形成しても良い。
【図面の簡単な説明】
【００３２】
【図１】本発明の一実施形態のポンプ用モータを示す側面図
【図２】上記ポンプ用モータの平面図である。
【図３】上記ポンプ用モータの平面図である。
【図４】上記ポンプ用モータのヨークとブラシホルダー及びカバーの組み付け前の状態を示す正面図である。
【図５】上記ヨークとブラシホルダー及びカバーの組み付け前の状態を示す断面図である。
【図６】上記ヨークとブラシホルダー及びカバーの組み付け後の要部の状態を示す拡大説明図ある。
【図７】上記ヨークとブラシホルダーの嵌合状態を示す要部の拡大断面図である。
【図８】（ａ）は上記ブラシブラシホルダーの要部の拡大断面図、（ｂ）は同要部の平面図である。
【図９】上記ブラシホルダーの平面図である。
【図１０】上記ブラシホルダーとアーマチュア軸に取り付けられたコンミュテータの関係を示す拡大断面図である。
【図１１】上記ブラシホルダーをアーマチュア軸に挿入する前の状態を示す断面図である。
【図１２】上記ブラシホルダーをアーマチュア軸に挿入した状態を示す断面図である。
【図１３】上記ブラシホルダーにカバーを嵌合する前の状態を示す断面図である。
【図１４】上記ブラシホルダーにカバーが嵌合された状態を示す断面図である。
【図１５】上記ブラシホルダーに嵌合されたカバーをヨークに嵌合する前の状態を示す断面図である。
【図１６】上記ポンプ用モータの組立完了状態を示す断面図である。
【図１７】（ａ）〜（ｃ）は本発明のブラシホルダーの変形例を示す平面図である。
【図１８】従来のポンプ用モータの断面図である。
【図１９】上記従来のポンプ用モータの要部の拡大断面図である。
【符号の説明】
【００３３】
１０  ポンプ用モータ
１１  ヨーク
１１ａ  底部
１１ｃ  円筒部
１１ｅ  開口部
１２  カバー
１２ａ  天井部
１２ｄ  円筒部
１４，１５  ボールベアリング（軸受）
１６  アーマチュア軸
１６ａ  基端（他端）
１６ｃ  先端部（一端）
１６ｄ  偏心軸部
１７  ボールベアリング（軸受）
２０  アーマチュア
２１  コンミュテータ
２１ｃ  一端面
２２  ブラシホルダー
２２ｃ  ストッパ
２２Ｄ  上側開口縁
２２ｅ  外周面
２３    ブラシ
【図１】
2006174656.tif 000003
【図２】
2006174656.tif 000004
【図３】
2006174656.tif 000005
【図４】
2006174656.tif 000006
【図５】
2006174656.tif 000007
【図６】
2006174656.tif 000008
【図７】
2006174656.tif 000009
【図８】
2006174656.tif 000010
【図９】
2006174656.tif 000011
【図１０】
2006174656.tif 000012
【図１１】
2006174656.tif 000013
【図１２】
2006174656.tif 000014
【図１３】
2006174656.tif 000015
【図１４】
2006174656.tif 000016
【図１５】
2006174656.tif 000017
【図１６】
2006174656.tif 000018
【図１７】
2006174656.tif 000019
【図１８】
2006174656.tif 000020
【図１９】
2006174656.tif 000021